(57)【要約】【課題】農業用水中の汚染物質を簡易かつ効率的に除去できる除染装置を提供することを目的とする。【解決手段】農業用水中の汚染物質を除去する除染装置１は、汚染物質を含む懸濁物をフィルタ面上に捕捉する平板状の複数のフィルタ３と、フィルタ面３ａと農業用水の流れ方向Ａとのなす角θが鋭角となり且つフィルタ面３ａが水平面に対して垂直となるように、複数のフィルタ３の各々を保持するフィルタ保持部４と、を備える。【選択図】図１
2017227038.tif 000002
【特許請求の範囲】
【請求項１】
農業用水中の汚染物質を除去する除染装置であって、
前記汚染物質を含む懸濁物をフィルタ面上に捕捉する複数の平板状のフィルタと、
前記フィルタ面と前記農業用水の流れ方向とのなす角が鋭角となり且つ前記フィルタ面が水平面に対して垂直となるように、前記複数のフィルタの各々を保持するフィルタ保持部と、を備える、除染装置。
【請求項２】
前記フィルタ保持部は、前記複数のフィルタのうち１つのフィルタの側端部が差し込まれるスリット状のソケット部を少なくとも１つ含み、前記ソケット部により、少なくとも１つの前記フィルタを着脱自在に保持する、請求項１に記載の除染装置。
【請求項３】
前記フィルタ保持部は、前記複数のフィルタのうち隣り合うフィルタの前記フィルタ面のなす角が鋭角となるように、前記複数のフィルタを保持する、請求項１または２に記載の除染装置。
【請求項４】
前記複数のフィルタの前記フィルタ面は、一層構造である、請求項１〜３のいずれか一項に記載の除染装置。
【請求項５】
前記フィルタ保持部が設置される底面部を更に備え、
前記底面部は、前記複数のフィルタが設けられる第１の領域と、前記第１の領域よりも高さが低い第２の領域とを含み、
前記第２の領域は、前記複数のフィルタの上流側に位置する、請求項１〜４のいずれか一項に記載の除染装置。
【請求項６】
前記流れ方向に沿って設けられ、前記農業用水を前記複数のフィルタに導くガイド壁部を更に備える、請求項１〜５のいずれか一項に記載の除染装置。
【請求項７】
前記複数のフィルタよりも上流側に設けられた流入壁部を更に備え、
前記流入壁部は、上下方向に並ぶように設置される複数の板部材を含み、前記板部材の枚数を変更することで、最上部に配置された板部材の上端である流入側越流部の高さが変更される、請求項１〜６のいずれか一項に記載の除染装置。
【請求項８】
前記複数のフィルタよりも下流側に設けられた流出壁部を更に備え、
前記流出壁部は、前記フィルタ面の下端よりも高い位置にある流出側越流部を含む、請求項１〜７のいずれか一項に記載の除染装置。
【発明の詳細な説明】
【技術分野】
【０００１】
本発明は、除染装置に関する。
【背景技術】
【０００２】
たとえば原子力発電所の事故などにより放射性物質に汚染された地域のうち、除染が不十分となっている地域がある。農業用水の水源の除染が進んでいない場合に、放射性物質が農業用水に混入して、農作物に吸収されることが懸念されている。放射性物質のうち放射性セシウムは、粘土鉱物や植物に取り込まれやすく、その多くが農業用水中において懸濁態として存在する。フィルタにより農業用水から懸濁物を除去することで、放射性セシウムの除染を行うことが検討されている。
【０００３】
たとえば、非特許文献１には、モミガラ等をネットに入れたフィルタを水田の水口に設置し、水田に流入される農業用水の除染を行う方法が開示されている。特許文献１には、河川や水路に設けられた２種類のフィルタにより汚染物質を含む懸濁物を捕捉することで、除染を行う装置が開示されている。
【先行技術文献】
【特許文献】
【０００４】
【特許文献１】特開２０１５−７４９１９号公報
【非特許文献】
【０００５】
【非特許文献１】久保田富次郎、人見忠良、▲浜▼田康治、吉岡邦雄、佐藤睦人、齋藤隆、「水田水口におけるモミガラ等を用いた用水中の放射性Ｃｓの除去効果」、農工研技報、２１４、ｐ．１２３−１３３
【発明の概要】
【発明が解決しようとする課題】
【０００６】
しかし、非特許文献１で開示されている除染技術では、懸濁物による目詰まりが早期に発生し易く、また、懸濁物がフィルタの内部に入り込むため、フィルタの再利用が困難である。またモミガラなどの有機物を用いた場合には腐って長期使用に耐えることができない。特許文献１で開示されている除染装置では、フィルタのスケールが大きく、構造も複雑であるため、フィルタ面に捕捉された汚染物質を含む懸濁物を回収することが困難である。
【０００７】
そこで、本発明は、農業用水中の汚染物質を容易かつ効率的に除去できる除染装置を提供することを目的とする。
【課題を解決するための手段】
【０００８】
本発明の一態様に係る除染装置は、農業用水中の汚染物質を除去する除染装置であって、汚染物質を含む懸濁物をフィルタ面上に捕捉する複数の平板状のフィルタと、フィルタ面と農業用水の流れ方向とのなす角が鋭角となり且つフィルタ面が水平面に対して垂直となるように、複数のフィルタの各々を保持するフィルタ保持部と、を備える。
【０００９】
上記除染装置は、平板状のフィルタのフィルタ面が農業用水の流れ方向に対して鋭角となっているため、水路幅によらず広い捕捉面積を実現できる。また、平板状のフィルタのフィルタ面が水平面に対して垂直となるように保持されているため、通水し得る水位の範囲が広い。さらに、複数のフィルタのそれぞれを様々な向きや位置に設置することができるため、除染装置の全体の大きさに対し広い捕捉面積を確保できる。このように、上記除染装置によれば、広い捕捉面積を実現できると共に広い範囲の水位に対応でき、農業用水中の汚染物質を容易かつ効率的に除去できる。
【００１０】
いくつかの態様において、上記フィルタ保持部は、複数のフィルタのうち１つのフィルタの側端部が差し込まれるスリット状のソケット部を少なくとも１つ含み、ソケット部により、少なくとも１つのフィルタを着脱自在に保持する。フィルタを引き上げ、スリット状のソケット部から側端部を引き抜くことでフィルタを取り外せる。よって、フィルタ面上の汚染物質を含んだ懸濁物の回収が容易となる。
【００１１】
いくつかの態様において、フィルタ保持部は、複数のフィルタのうち隣り合うフィルタのフィルタ面のなす角が鋭角となるように、複数のフィルタを保持する。これにより、除染装置は、限られたスペースに多くのフィルタを配置できるため、コンパクトな構成で広い捕捉面積を確保できる。
【００１２】
いくつかの態様において、複数のフィルタのフィルタ面は、一層構造である。フィルタ面が一層構造であると、懸濁物の大部分はフィルタ表面に付着してフィルタの隙間（孔部）に入り込むものは僅かである。水を用いずにフィルタを叩くなどしてフィルタ面に振動を与えたり、少量の水でフィルタ面を洗浄したりすることにより、懸濁物をフィルタから取り除くことができる。
【００１３】
いくつかの態様において、除染装置は、フィルタ保持部が設置される底面部を更に備える。底面部は、複数のフィルタが設けられる第１の領域と、第１の領域よりも高さが低い第２の領域とを含み、第２の領域は、複数のフィルタの上流側に位置する。底面部の第２の領域の高さは低いため、第２の領域では、第１の領域に比して水深が大きくなる。よって、第２の領域において農業用水の流速は低下し、農業用水中の比重の大きい物質は第２の領域に沈殿し得る。その結果として、フィルタ面の目詰まりが低減される。
【００１４】
いくつかの態様において、除染装置は、流れ方向に沿って設けられ、農業用水を複数のフィルタに導くガイド壁部を更に備える。これにより、農業用水の流れによる除染装置の周辺の土壌の浸食を防止でき、且つガイド壁部により農業用水をフィルタに導くことで、効率的に農業用水中の汚染物質を除去できる。
【００１５】
いくつかの態様において、除染装置は、複数のフィルタよりも上流側に設けられた流入壁部を更に備える。流入壁部は、上下方向に並ぶように設置される複数の板部材を含み、板部材の枚数を変更することで、最上部に配置された板部材の上端である流入側越流部の高さが変更される。これにより、フィルタを外す際に、農業用水の装置内への流入を堰き止めることができ、フィルタを通過していない農業用水が水田に流入するのを防ぐことができる。
【００１６】
いくつかの態様において、除染装置は、複数のフィルタよりも下流側に設けられた流出壁部を更に備える。流出壁部は、フィルタ面の下端よりも高い位置にある流出側越流部を含む。これにより、フィルタを通過する農業用水の水位をフィルタ面の下端よりも高い位置に保つことができ、農業用水に対してフィルタ面を広い範囲で接触させることができる。よって、フィルタの単位面積あたりの流水量を少なくすることができ、フィルタ面の目詰まりが低減される。
【発明の効果】
【００１７】
本発明によれば、農業用水中の汚染物質を容易かつ効率的に除去できる。
【図面の簡単な説明】
【００１８】
【図１】本発明の一実施形態の除染装置を示す斜視図である。
【図２】図１の除染装置を農地に設置した状態の平面図である。
【図３】図２の除染装置を農地に設置した状態の断面図である。
【図４】（ａ）は図１の除染装置における２枚のフィルタを接続するフィルタ保持部の拡大図であり、（ｂ）は図１の除染装置における１枚のフィルタを壁部に接続するフィルタ保持部の拡大図である。
【図５】図１の除染装置の流入口の構造を示す図である。
【図６】図１の除染装置による除染効果を示すグラフである。
【発明を実施するための形態】
【００１９】
以下、本発明の実施形態について、図面を参照しながら説明する。なお、図面の説明において同一要素には同一符号を付し、重複する説明は省略する。
【００２０】
図１〜図５を参照して、本実施形態に係る除染装置１の構成について説明する。除染装置１は、水路２０と水田３０との間に設置される。水路２０を流れる農業用水は除染装置１に流入し、除染装置１によってろ過され除染装置１から流出した農業用水は、水田３０に流入する。除染装置１は、水路２０から水田３０に流入する農業用水に含まれる放射性物質等の汚染物質を除去する。
【００２１】
除染装置１は、上流側に配置された第１フィルタ２と、第１フィルタ２よりも下流側に配置された複数の第２フィルタ３と、第２フィルタ３を保持するフィルタ保持部４とを備える。除染装置１は、水路２０から水田３０に流入する農業用水の流入部に設置される枠体Ｆを備える。第１フィルタ２、複数の第２フィルタ３、およびフィルタ保持部４は、枠体Ｆ内に設置される。枠体Ｆは、フィルタ保持部４が固定される矩形の底面部５と、底面部５に対して垂直に接合されて底面部５の周縁から立ち上がる壁部６とを含む。
【００２２】
第２フィルタ３の上流側に設けられた第１フィルタ２は、粗目のスクリーンであり、たとえば木の枝や石等の粗大な異物の通過を阻止する。第１フィルタ２は、そのような粗大な異物が第２フィルタ３に到達するのを防ぎ、第２フィルタ３を保護する。第１フィルタ２は、たとえば、ステンレス・スチールや塗装した鋼材からなる。もちろん水流に耐えうることができれば、ＰＰなどの樹脂製を用いても良い。第１フィルタ２の目開きは、たとえば１０〜１００ｍｍ程度とされる。第１フィルタ２は、持ち運びを容易にするため、取手部２ａを含んでいる。
【００２３】
第２フィルタ３は、複数の平板状のフィルタであり、汚染物質を含む懸濁物をフィルタ面３ａ上に捕捉する。この複数の第２フィルタ３の各々におけるフィルタ面３ａは、一層構造である。第２フィルタ３は、たとえば、平板に孔の開いた金属の網や織布からなる。第２フィルタ３の目開きは、たとえば０．２〜２ｍｍとされる。第２フィルタ３は、持ち運びを容易にするため、取手部３ｃを含んでいる。
【００２４】
フィルタ保持部４は、２種類のフィルタ保持部４ａ，４ｂを含む。フィルタ保持部４ａ，４ｂは、平板状の第２フィルタ３のフィルタ面３ａと農業用水の流れ方向Ａとのなす角θ（図２参照）が鋭角となり且つフィルタ面３ａが底面部５（水平面）に対して垂直となるように、複数の第２フィルタ３の各々を保持する。ここで、フィルタ保持部４ａ，４ｂは、第２フィルタ３の側端部３ｂが差し込まれるスリット状のソケット部１１をそれぞれ含んでいる。ソケット部１１は、断面Ｕ字状であり、鉛直方向に延在する。フィルタ保持部４ａ，４ｂは、複数のソケット部１１によって、第２フィルタ３のそれぞれを着脱自在に保持している。第２フィルタ３は、水平面に対して直立した姿勢で下方に向かってソケット部１１に挿入される（すなわちソケット部１１に落とし込まれる）ことで、フィルタ保持部４ａおよびフィルタ保持部４ｂにより保持される。また、第２フィルタ３を上方に持ち上げることで、第２フィルタ３を容易にフィルタ保持部４から取り外すことができる。
【００２５】
なお、図２に示すように、第１フィルタ２に関しても、フィルタ保持部４ａ，４ｂと同様の構成で第１フィルタ２を着脱自在に保持するフィルタ保持部１０が設けられ得る。
【００２６】
図４（ａ）および図４（ｂ）を参照して、フィルタ保持部４ａ，４ｂについて詳しく説明する。図４（ａ）に示すように、フィルタ保持部４ａは、２つのソケット部１１を含み、２枚の第２フィルタ３の側端部３ｂを互いに近接した状態で保持する。具体的には、フィルタ保持部４ａは、複数の第２フィルタ３のうち隣り合う第２フィルタ３のフィルタ面３ａのなす角φ（図２参照）が鋭角となるように、２枚の第２フィルタ３を保持する。換言すれば、フィルタ保持部４ａは、２枚の第２フィルタ３がＶ字状になるように保持している。図４（ｂ）に示すように、フィルタ保持部４ｂは、後述のガイド壁部６ａ，６ｂに設けられ、１枚の第２フィルタ３の側端部３ｂを壁部６に近接した状態で保持する。なお、図４（ｂ）には、ガイド壁部６ｂに接するフィルタ保持部４ｂが示されている。除染装置１は、３つのフィルタ保持部４ａと、２つのフィルタ保持部４ｂを含む。
【００２７】
図１〜図３に示すように、枠体Ｆの底面部５は、複数の第２フィルタ３が設けられる平坦な第１の領域５ａと、第１の領域５ａよりも高さが低い第２の領域５ｂとを含む。第２の領域５ｂは、複数の第２フィルタ３の上流側に位置する。第２の領域５ｂは、流れ方向Ａを横断するようにして、略水平に延在している。換言すれば、底面部５は、第１フィルタ２の上流側に位置する凹部を含む。
【００２８】
枠体Ｆの壁部６は、一対のガイド壁部６ａ，６ｂと、流入壁部６ｃと、流出壁部６ｄとを含む。ガイド壁部６ａ，６ｂ、流入壁部６ｃ、および流出壁部６ｄは、互いに連結されて、矩形枠状の側壁をなす。壁部６は、ガイド壁部６ａ，６ｂに取り付けられた取手部７を含む。取手部７によって、枠体Ｆまたは除染装置１の全体が運搬され得る。
【００２９】
ガイド壁部６ａ，６ｂは、除染装置１に流入した農業用水の流れ方向Ａに沿って設けられ、農業用水を複数の第２フィルタ３に導く。流入壁部６ｃは、ガイド壁部６ａ，６ｂの上流側の端部を連結するように接合され、流出壁部６ｄは、ガイド壁部６ａ，６ｂの下流側の端部を連結するように接合される。底面部５、ガイド壁部６ａ，６ｂ、流入壁部６ｃ、および流出壁部６ｄの部材間は、溶接やボルト止め等により水漏れがないように接合される。すなわち、枠体Ｆは、底面部５、ガイド壁部６ａ，６ｂ、流入壁部６ｃ、および流出壁部６ｄにより、内部に農業用水を貯留できるように構成されている。底面部５、ガイド壁部６ａ，６ｂ、流入壁部６ｃ、および流出壁部６ｄは、溶接やボルト止め等によってユニット化されている。
【００３０】
流入壁部６ｃは、複数の第２フィルタ３よりも上流側に設けられる。すなわち、流入壁部６ｃは、第１フィルタ２よりも上流側に設けられる。流入壁部６ｃの幅方向の中央部は開口しており、この開口が、農業用水の通過（流入）を許容する。流入壁部６ｃは、この開口を塞ぐようにして上下方向に並設される複数の板部材８（図５参照）を含む。板部材８の枚数を変更することで、最上部に配置された板部材８の上端である流入側越流部６ｃ１の高さが変更される。板部材８は、地面に対して垂直な姿勢で下方に下ろされることにより、流入壁部６ｃのソケット部６ｃ２に挿入される。
【００３１】
流出壁部６ｄは、複数の第２フィルタ３よりも下流側に設けられる。流出壁部６ｄの幅方向の中央部は開口しており、この開口が、農業用水の通過（流出）を許容する。流出壁部６ｄは、この開口を塞ぐようにして上下方向に並設される複数の板部材９（図１参照）を含む。板部材９の枚数を変更することで、最上部に配置された板部材９の上端である流出側越流部６ｄ１の高さが変更されてもよい。なお、板部材９は一枚のみであってもよい。流出側越流部６ｄ１は、フィルタ面３ａの下端３ｄよりも高い位置に設定される。板部材９は、地面に対して垂直な姿勢で下方に下ろされることにより、流出壁部６ｄのソケット部６ｄ２に挿入される。
【００３２】
次に、図２および図３を参照して、除染装置１の作用について説明する。除染装置１は、水路２０から枝分れした農業用水が流入側越流部６ｃ１から除染装置１内に流入されるように配置される。除染装置１は、流出壁部６ｄが水田３０の水口に接するように設置される。これにより、水路２０から枝分れした農業用水のほぼ全量が、除染装置１すなわち第２フィルタ３を経由し得るようになっている。板部材８の枚数変更により流入側越流部６ｃ１の高さを調節することで、農業用水が除染装置１内に流入する量が調節され得る。
【００３３】
まず、流入側越流部６ｃ１を越えて除染装置１に流入した農業用水は、底面部５の第２の領域５ｂに流れ込む。第２の領域５ｂを通過した農業用水は、第１フィルタ２に到達する。農業用水中の水よりも比重の大きい物質は第２の領域５ｂに沈殿し、比較的大きい物質は第１フィルタ２により捕捉される。
【００３４】
第１フィルタ２を通過した農業用水は、第２フィルタ３に到達する。ここで、放射性セシウム等の汚染物質を含む農業用水中の懸濁物は、複数の第２フィルタ３のうちいずれかのフィルタ面３ａにより捕捉される。第２フィルタ３のフィルタ面３ａと農業用水の流れ方向Ａとのなす角θは鋭角になっているので、広い面積をもって農業用水がろ過され得る。また、フィルタ面３ａは水平面に対して垂直になっているので、低い水位から高い水位まで、広い範囲の水位に対応可能である。枠体Ｆ内の限られたスペースであっても、Ｖ字状あるいはＷ字状に配置された第２フィルタ３のフィルタ面３ａのろ過面積は大きくなっている。
【００３５】
第２フィルタ３を通過した農業用水は、流出壁部６ｄの流出側越流部６ｄ１を越えて水田３０に流出する。なお、流出側越流部６ｄ１の高さを調節することで、農業用水が水田３０に流入する量が調節され得る。
【００３６】
第２フィルタ３上の懸濁物は、第２フィルタ３をソケット部１１から取り外し、フィルタ面３ａに振動を与えたり水で洗い流したりして回収される。また、第２フィルタ３上の懸濁物を回収する際には、流入側越流部６ｃ１の高さを水路２０の水位よりも高くし、農業用水が除染装置１内に流入するのを止めてもよい。これにより、農業用水が第２フィルタ３を通過せずに直接水田３０に流入するのを防ぐことができる。流入側越流部６ｃ１の高さを除染装置１内の農業用水の水位よりも高くしておき、水田３０への流入を再開する際に、不図示のポンプなどによって除染装置１内の農業用水を取り除いてもよい。この場合も、農業用水が第２フィルタ３を通過せずに直接水田３０に流入するのを防ぐことができる。
【００３７】
次に、図６を参照して、除染装置１による除染効果について説明する。図６は、図２に示すように４枚の第２フィルタ３からなる除染装置１を水田に設置し、複数の計測位置において堆積物の乾燥重量当たりの放射性セシウム濃度を測定した結果を示す。横軸は計測位置を示し、縦軸は乾燥重量当たりの放射性セシウム濃度を示す。放射性セシウム濃度の計測位置は、除染装置１の上流側堆積物、除染装置１内の堆積物、第２フィルタ３のフィルタ面３ａ上、除染装置１の下流側の堆積物の４か所である。６月５日（装置下流側堆積物のみ５月８日に採取）、７月１６日、８月２８日、１０月６日の５回にわたって、各位置における放射性セシウム濃度の計測を行った。
【００３８】
図６に示されるように、いずれの計測日においても、除染装置１の下流側堆積物における放射性セシウム濃度は、フィルタ面３ａ上よりも低い。従って、フィルタ面３ａ上に、放射性セシウム等の汚染物質を含んだ懸濁物が捕捉され、放射性セシウムの除染装置１の下流側への流出を防げていることが分かる。
【００３９】
また、除染装置１を運用して２カ月経過以降である８月２８日と１０月６日には、除染装置１の上流側堆積物の放射性セシウム濃度よりも除染装置１の下流側堆積部の放射性セシウム濃度の方が低い。そのため、除染装置１により、農業用水中の懸濁物中の汚染物質を有効に取り除けていることが推定される。
【００４０】
以上説明した除染装置１によれば、フィルタ面３ａが農業用水の流れ方向Ａに対して鋭角となっているため、水路幅によらず、広い捕捉面積が実現されている。また、平板状の第２フィルタ３のフィルタ面３ａが水平面に対して垂直となるように保持されているため、簡易かつコンパクトな構成でありながら、除染できる農業用水の水位の範囲が広い。さらに、複数の第２フィルタ３のそれぞれを様々な向きや位置（具体的にはＶ字状あるいはＷ字状）に設置することができるため、除染装置１の全体の大きさに対し広い捕捉面積が確保されている。除染装置１によれば、簡易かつコンパクトな構成でありながら広い捕捉面積を実現でき、さらには広い範囲の水位に対応でき、農業用水中の汚染物質を容易かつ効率的に除去できる。
【００４１】
フィルタ保持部４ａ，４ｂは、スリット状のソケット部１１を含んでいるため、第２フィルタ３を引き上げ、ソケット部１１から側端部を引き抜くことで第２フィルタ３を取り外すことができる。よって、フィルタ面３ａ上の汚染物質を含んだ懸濁物の回収が容易となる。除染装置１によれば、農業用水中の汚染物質を容易に除去・回収できる。
【００４２】
フィルタ保持部４は、複数の第２フィルタ３のうち隣り合う第２フィルタ３のフィルタ面３ａのなす角φが鋭角となるように複数の第２フィルタ３を保持している。そのため、限られたスペースに多くの第２フィルタ３を配置でき、コンパクトな構成で広い捕捉面積が確保されている。
【００４３】
フィルタ面３ａは、平板に孔の開いた金属の網や織布からなる一層構造であるため、懸濁物の大部分は第２フィルタ３の表面に付着し、第２フィルタ３の孔部に入り込むものは僅かである。よって、水を用いずに第２フィルタ３を叩くなどしてフィルタ面３ａに振動を与えたり、少量の水でフィルタ面３ａを洗浄したりすることにより、懸濁物を第２フィルタ３から取り除くことができる。
【００４４】
底面部５は、第２フィルタ３の上流に凹形状の第２の領域５ｂを含んでいるため、第２の領域５ｂにおいて農業用水の流速は低下し、農業用水中の比重の大きい物質は第２の領域５ｂに沈殿する。その結果として、フィルタ面３ａの目詰まりが低減される。
【００４５】
また、除染装置１は、ガイド壁部６ａ，６ｂを備えているため、農業用水の流れによる除染装置１の周辺の土壌の浸食を防止でき、且つガイド壁部６ａ，６ｂにより農業用水を第２フィルタ３に導くことで、効率的に農業用水中の汚染物質を除去できる。
【００４６】
除染装置１は、流入壁部６ｃを備えているため、第２フィルタ３を外す際に、農業用水の装置内への流入を堰き止めることができ、第２フィルタ３を通過していない農業用水が水田３０に流入するのを防ぐことができる。また、流入壁部６ｃは、板部材８の枚数を変更することで最上部に配置された板部材８の上端である流入側越流部６ｃ１の高さを変更できるため、除染装置１内の農業用水の水位を調節することができ、装置内の農業用水の水位が第２フィルタ３の高さを越えることを防止できる。
【００４７】
除染装置１は、流出壁部６ｄを備えているため、農業用水の水位をフィルタ面３ａの下端３ｄよりも高い位置に維持することができ、農業用水に対してフィルタ面３ａを広い範囲で接触させることができる。その結果、第２フィルタ３の単位面積あたりの流水量を少なくすることができ、フィルタ面の目詰まりが低減される。流出側越流部６ｄ１も、流入側越流部６ｃ１のように、板部材９を挿入することで高さを変更できる構成とすれば、水田に流入する農業用水の流入量を調節できるため、装置内の農業用水の水位を調整でき、フィルタ面３ａに対する農業用水の接触面積を調整できる。水路２０と水田３０との水位差は確保しにくい場合も多いので、この水位調整機能は有効である。
【００４８】
以上、本発明の実施形態について説明したが、本発明に係る除染装置は上記に限定されず、種々の変更を行うことができる。
【００４９】
たとえば、流入側越流部６ｃ１や流出側越流部６ｄ１は、図示されたように流入壁部６ｃや流出壁部６ｄの一部にのみ形成されるのでなく、ガイド壁部６ａ，６ｂ間の全域に亘って形成されてもよい。
【００５０】
また、本実施形態において、除染装置１は第２フィルタ３を４枚含む構成となっているが、それ以上の枚数であってもよいし、それ以下の枚数であってもよい。フィルタ保持部４ａは、４つ以上であってもよいし、３つ未満であってもよい。
【００５１】
また、本実施形態において、フィルタ保持部４ａは下流側よりも上流側に多く設けられているが、上流側よりも下流側に多く設けてもよい。上流側と下流側においてフィルタ保持部４ａの数が同じであってもよい。すなわち、第２フィルタ３によって形成されたＶ字形状は、本実施形態のＶ字形状とは反対向きに形成されてもよい。ソケット部１１は、第２フィルタのすべての端部に対応して設けられる場合に限られず、一部または一箇所に対応して設けられてもよい。
【符号の説明】
【００５２】
１  除染装置
３  第２フィルタ
３ａ  フィルタ面
３ｄ  下端
４ａ，４ｂ  フィルタ保持部
５  底面部
５ａ  第１の領域
５ｂ  第２の領域
６ａ，６ｂ  ガイド壁部
６ｃ  流入壁部
６ｃ１  流入側越流部
６ｄ  流出壁部
６ｄ１  流出側越流部
８  板部材
１１  ソケット部
θ  角
Ａ  流れ方向
【図１】
2017227038.tif 000003
【図２】
2017227038.tif 000004
【図３】
2017227038.tif 000005
【図４】
2017227038.tif 000006
【図５】
2017227038.tif 000007
【図６】
2017227038.tif 000008